(57)【要約】【課題】意に反して内部のデータが外部に出力されないようにデータを保護することができる情報処理装置を提供することを課題とする。【解決手段】第１乃至第３のデバイス（１０１乃至１０３）は、それぞれ、データ及びデータに対応するデバイスマスク情報を記憶するための記憶部を有し、デバイスマスク情報は、第１乃至第３のデバイスの各々へのデータの書き込みの許可又は禁止を示す情報であり、第１のデバイス（１０１）の記憶部（１１１ａ）に記憶されているデータを第２のデバイス（１０２）の記憶部（１２１ａ）に書き込む指示がされた場合、第１のデバイスの記憶部（１１２ａ）に記憶されているデバイスマスク情報が第２のデバイスへの書き込み許可を示しているときのみ、第１のデバイスの記憶部（１１１ａ，１１２ａ）に記憶されているデータ及びデータに対応するデバイスマスク情報は第２のデバイスの記憶部（１２１ａ，１２２ａ）に書き込まれる。【選択図】図１
2011186822.tif 000002
【特許請求の範囲】
【請求項１】
第１のデバイス、第２のデバイス及び第３のデバイスが相互に接続された情報処理装置であって、
前記第１乃至第３のデバイスは、それぞれ、データ及び前記データに対応するデバイスマスク情報を記憶するための記憶部を有し、
前記デバイスマスク情報は、前記第１乃至第３のデバイスの各々への前記データの書き込みの許可又は禁止を示す情報であり、
前記第１のデバイスの記憶部に記憶されているデータを前記第２のデバイスの記憶部に書き込む指示がされた場合、前記第１のデバイスの記憶部に記憶されているデバイスマスク情報が前記第２のデバイスへの書き込み許可を示しているときには、前記第１のデバイスの記憶部に記憶されている前記データ及び前記データに対応するデバイスマスク情報は前記第２のデバイスの記憶部に書き込まれ、前記第１のデバイスの記憶部に記憶されているデバイスマスク情報が前記第２のデバイスへの書き込み禁止を示しているときには、前記第１のデバイスの記憶部に記憶されている前記データは前記第２のデバイスの記憶部に書き込まれず、
その後、前記第２のデバイスの記憶部に記憶されているデータを前記第３のデバイスの記憶部に書き込む指示がされた場合、前記第２のデバイスの記憶部に記憶されているデバイスマスク情報が前記第３のデバイスへの書き込み許可を示しているときには、前記第２のデバイスの記憶部に記憶されている前記データ及び前記データに対応するデバイスマスク情報は前記第３のデバイスの記憶部に書き込まれ、前記第２のデバイスの記憶部に記憶されているデバイスマスク情報が前記第３のデバイスへの書き込み禁止を示しているときには、前記第２のデバイスの記憶部に記憶されている前記データは前記第３のデバイスの記憶部に書き込まれないことを特徴とする情報処理装置。
【請求項２】
前記デバイスマスク情報は単位長のデータ毎に設けられ、前記記憶部は単位長のデータ及び前記単位長のデータに対応するデバイスマスク情報の組みを記憶し、
前記第１のデイバスの記憶部は、第１のデータ及び前記第１のデータに対応する第１のデバイスマスク情報の組み、並びに第２のデータ及び前記第２のデータに対応する第２のデバイスマスク情報の組みを記憶し、
前記第１のデバイスの記憶部に記憶されている第１のデータを前記第２のデバイスの記憶部に書き込む指示がされた場合、前記第１のデバイスの記憶部に記憶されている前記第１のデバイスマスク情報が前記第２のデバイスへの書き込み許可を示しているときには、前記第１のデバイスの記憶部に記憶されている前記第１のデータ及び前記第１のデバイスマスク情報の組みは前記第２のデバイスの記憶部に書き込まれ、前記第１のデバイスの記憶部に記憶されている前記第１のデバイスマスク情報が前記第２のデバイスへの書き込み禁止を示しているときには、前記第１のデバイスの記憶部に記憶されている前記第１のデータは前記第２のデバイスの記憶部に書き込まれず、
前記第１のデバイスの記憶部に記憶されている第２のデータを前記第２のデバイスの記憶部に書き込む指示がされた場合、前記第１のデバイスの記憶部に記憶されている前記第２のデバイスマスク情報が前記第２のデバイスへの書き込み許可を示しているときには、前記第１のデバイスの記憶部に記憶されている前記第２のデータ及び前記第２のデバイスマスク情報の組みは前記第２のデバイスの記憶部に書き込まれ、前記第１のデバイスの記憶部に記憶されている前記第２のデバイスマスク情報が前記第２のデバイスへの書き込み禁止を示しているときには、前記第１のデバイスの記憶部に記憶されている前記第２のデータは前記第２のデバイスの記憶部に書き込まれないことを特徴とする請求項１記載の情報処理装置。
【請求項３】
前記第１のデバイスは、自己の記憶部に記憶されている前記デバイスマスク情報について、前記第１乃至第３のデバイスの各々への前記データの書き込みの許可から禁止に変更することができ、前記第１乃至第３のデバイスの各々への前記データの書き込みの禁止から許可に変更することができないことを特徴とする請求項１又は２記載の情報処理装置。
【請求項４】
前記第１のデバイスは、前記第１のデータ及び前記第２のデータの演算を行うことにより第３のデータを生成する場合には、前記第１のデバイスマスク情報及び前記第２のデバイスマスク情報のうち前記第１乃至第３のデバイスの各々への書き込みの許可よりも禁止を優先させて前記第３のデータに対応する第３のデバイスマスク情報を生成し、前記第３のデータ及び前記第３のデバイスマスク情報の組みを前記記憶部に記憶させることを特徴とする請求項２記載の情報処理装置。
【請求項５】
前記第１のデバイスの記憶部には、外部記憶媒体に記憶されているデータ及び前記データに対応するデバイスマスク情報と同じものが書き込まれることを特徴とする請求項１乃至４のいずれか１項に記載の情報処理装置。
【発明の詳細な説明】
【技術分野】
【０００１】
本発明は、情報処理装置に関する。
【背景技術】
【０００２】
画像、動画、音楽、テキスト等のコンテンツデータにおいて著作権を保護する方法として、ＣＰＰＭ，ＣＰＲＭ等の暗号方式を使用した保護システムが開発されている。しかしながら、情報処理装置において外部より暗号化されたデータをシステム内で処理をする場合、そのデータを復号して取り扱われる。システム内で、保護されていないデータが存在することになる。そのため、悪意あるプログラムが存在する場合、復号したデータを外部に出力することが可能である。
【０００３】
また、デジタルインターフェースを備えた情報処理装置に伝送されるデジタル信号内に含まれる第１の著作権情報、第２の著作権情報、第３の著作権情報及び第４の著作権情報に従って、該デジタル信号のコピーマネジメントを行う著作権保護方法が知られている（例えば、特許文献１参照）。
【０００４】
また、ホームサーバとモバイル端末から構成される電子データ移動システムが知られている（例えば、特許文献２参照）。モバイル端末は、ホームサーバに接続する接続手段と、電子データを保持する保持手段と、保持手段によって保持されている電子データを再生する再生手段と、再生手段によって再生された電子データに対し、ユーザの操作に対応してフラグを付加する付加手段とを含む。ホームサーバは、モバイル端末が接続されたことを検知する検知手段と、モバイル端末に保持されている電子データのうち、フラグが付加されている電子データを取得する取得手段と、取得手段によって取得された電子データを保管する保管手段とを含む。
【０００５】
また、ＡＶデータ又はアプリケーションプログラム／データを含むコンテンツを読み込む読込手段と、読み込んだコンテンツを記録する記録手段と、記録したコンテンツを再生又は実行する処理手段とを有する記録再生装置において、処理手段は、記録再生装置によって再生又は実行可能な任意のコンテンツに対して、その処理内容に応じて異なるアクセス制限を付加することを特徴とする記録再生装置が知られている（例えば、特許文献３参照）。
【先行技術文献】
【特許文献】
【０００６】
【特許文献１】特開２００７-９５２９１号公報
【特許文献２】特開２００４−３９０９３号公報
【特許文献３】特開２００５−１１５４８７号公報
【発明の概要】
【発明が解決しようとする課題】
【０００７】
本発明の目的は、意に反して内部のデータが外部に出力されないようにデータを保護することができる情報処理装置を提供することである。
【課題を解決するための手段】
【０００８】
情報処理装置は、第１のデバイス、第２のデバイス及び第３のデバイスが相互に接続された情報処理装置であって、前記第１乃至第３のデバイスは、それぞれ、データ及び前記データに対応するデバイスマスク情報を記憶するための記憶部を有し、前記デバイスマスク情報は、前記第１乃至第３のデバイスの各々への前記データの書き込みの許可又は禁止を示す情報であり、前記第１のデバイスの記憶部に記憶されているデータを前記第２のデバイスの記憶部に書き込む指示がされた場合、前記第１のデバイスの記憶部に記憶されているデバイスマスク情報が前記第２のデバイスへの書き込み許可を示しているときには、前記第１のデバイスの記憶部に記憶されている前記データ及び前記データに対応するデバイスマスク情報は前記第２のデバイスの記憶部に書き込まれ、前記第１のデバイスの記憶部に記憶されているデバイスマスク情報が前記第２のデバイスへの書き込み禁止を示しているときには、前記第１のデバイスの記憶部に記憶されている前記データは前記第２のデバイスの記憶部に書き込まれず、その後、前記第２のデバイスの記憶部に記憶されているデータを前記第３のデバイスの記憶部に書き込む指示がされた場合、前記第２のデバイスの記憶部に記憶されているデバイスマスク情報が前記第３のデバイスへの書き込み許可を示しているときには、前記第２のデバイスの記憶部に記憶されている前記データ及び前記データに対応するデバイスマスク情報は前記第３のデバイスの記憶部に書き込まれ、前記第２のデバイスの記憶部に記憶されているデバイスマスク情報が前記第３のデバイスへの書き込み禁止を示しているときには、前記第２のデバイスの記憶部に記憶されている前記データは前記第３のデバイスの記憶部に書き込まれない。
【発明の効果】
【０００９】
デバイスマスク情報を設けることにより、意に反して内部のデータが外部に出力されないようにデータを保護することができる。
【図面の簡単な説明】
【００１０】
【図１】本発明の第１の実施形態による情報処理装置の構成例を示すブロック図である。
【図２】データ及びデバイスマスク情報の組みを示す図である。
【図３】デバイスマスク情報の構成例を示す図である。
【図４】情報処理装置の処理例を示す図である。
【図５】第１のデバイスの汎用レジスタへデータを書き込む動作を説明するための図である。
【図６】本発明の第２の実施形態による第１のデバイスの構成例を示す図である。
【図７】本発明の第３の実施形態のよる情報処理装置の構成例を示すブロック図である。
【発明を実施するための形態】
【００１１】
（第１の実施形態）
図１は、本発明の第１の実施形態による情報処理装置の構成例を示すブロック図である。情報処理装置１００は、第１のデバイス１０１、第２のデバイス１０２、第３のデバイス１０３、第４のデバイス１０４及びデータバス１７０を有する。
【００１２】
図２は、データ２０１及びデバイスマスク情報２０２の組みを示す図である。各データ２０１は、例えば３２ビットのコンテンツデータである。デバイスマスク情報２０２は、例えば４ビットのデバイスマスクフラグであり、第１のデバイス１０１乃至第４のデバイス１０４の各々への３２ビットデータ２０１の書き込み許可又は禁止を示す情報である。デバイスマスク情報２０２は、例えば３２ビットの単位長のデータ２０１毎に設けられる。単位長は、３２ビットに限定されない。データ２０１及びそれに対応するデバイスマスク情報２０２は組みになる。
【００１３】
図３は、図２のデバイスマスク情報２０２の構成例を示す図である。デバイスマスク情報２０２は、例えば４ビットデータ３０１乃至３０４を有する。１ビット目のデータ３０１は、第１のデバイス１０１へのデータ２０１の書き込みの許可又は禁止を示す。２ビット目のデータ３０２は、第２のデバイス１０２へのデータ２０１の書き込みの許可又は禁止を示す。３ビット目のデータ３０３は、第３のデバイス１０３へのデータ２０１の書き込みの許可又は禁止を示す。４ビット目のデータ３０４は、第４のデバイス１０４へのデータ２０１の書き込みの許可又は禁止を示す。デバイスマスク情報２０２のビット数は、デバイス１０１乃至１０４の数と一致する。デバイスマスク情報２０２の各ビットデータ３０１乃至３０４は、「０」がデータの書き込みの許可を示し、「１」がデータの書き込みの禁止を示す。例えば、第１のデバイス１０１への書き込みを許可し、第２のデバイス１０２への書き込みを禁止し、第３のデバイス１０３への書き込みを許可し、第４のデバイス１０４への書き込みを禁止する場合、４ビットのデバイスマスク情報２０２は「１０１０」になる。
【００１４】
図１において、第１のデバイス１０１は、例えばＣＰＵ（中央処理装置）であり、データ２０１を記憶するための汎用レジスタ（記憶部）１１１ａ及びそのデータ２０１に対応するデバイスマスク情報２０２を記憶するためのデバイスマスク情報レジスタ（記憶部）１１２ａの組み、並びにデータ２０１を記憶するための汎用レジスタ（記憶部）１１１ｂ及びそのデータ２０１に対応するデバイスマスク情報２０２を記憶するためのデバイスマスク情報レジスタ（記憶部）１１２ｂの組みを有する。例えば、汎用レジスタ１１１ａには第１の３２ビットデータ２０１が記憶され、デバイスマスク情報レジスタ１１２ａには第１の３２ビットデータ２０１に対応するデバイスマスク情報２０２が記憶され、汎用レジスタ１１１ｂにはその次の第２の３２ビットデータ２０１が記憶され、デバイスマスク情報レジスタ１１２ｂには第２の３２ビットデータ２０１に対応するデバイスマスク情報２０２が記憶される。
【００１５】
データ信号線１７１は、汎用レジスタ１１１ａ，１１１ｂとデータバス１７０との間に接続され、データ２０１を入出力する。デバイスマスク情報信号線１８１は、デバイスマスク情報レジスタ１１２ａ，１１２ｂとデータバス１７０との間に接続され、４ビットのデバイスマスク情報２０２を入出力する。
【００１６】
第２のデバイス１０２は、例えばプラットフォームメモリであり、データ２０１を記憶するためのメモリ（記憶部）１２１ａ及びそのデータ２０１に対応するデバイスマスク情報２０２を記憶するためのデバイスマスク情報メモリ（記憶部）１２２ａの組み、並びにデータ２０１を記憶するためのメモリ（記憶部）１２１ｂ及びそのデータ２０１に対応するデバイスマスク情報２０２を記憶するためのデバイスマスク情報メモリ（記憶部）１２２ｂの組みを有する。例えば、メモリ１２１ａには第１の３２ビットデータ２０１が記憶され、デバイスマスク情報メモリ１２２ａには第１の３２ビットデータ２０１に対応するデバイスマスク情報２０２が記憶され、メモリ１２１ｂにはその次の第２の３２ビットデータ２０１が記憶され、デバイスマスク情報メモリ１２２ｂには第２の３２ビットデータ２０１に対応するデバイスマスク情報２０２が記憶される。後述の第３のデバイス１０３及び第４のデバイス１０４のメモリ１３１ａ，１３１ｂ，１４１ａ，１４１ｂ及びデバイスマスク情報メモリ１３２ａ，１３２ｂ，１４２ａ，１４２ｂも同様である。
【００１７】
データ信号線１７２は、メモリ１２１ａ，１２１ｂとデータバス１７０との間に接続され、データ２０１を入出力する。デバイスマスク情報信号線１８２は、デバイスマスク情報メモリ１２２ａ，１２２ｂとデータバス１７０との間に接続され、４ビットのデバイスマスク情報２０２を入出力する。
【００１８】
第３のデバイス１０３は、例えばフラッシュメモリであり、データ２０１を記憶するためのメモリ（記憶部）１３１ａ及びそのデータ２０１に対応するデバイスマスク情報２０２を記憶するためのデバイスマスク情報メモリ（記憶部）１３２ａの組み、並びにデータ２０１を記憶するためのメモリ（記憶部）１３１ｂ及びそのデータ２０１に対応するデバイスマスク情報２０２を記憶するためのデバイスマスク情報メモリ（記憶部）１３２ｂの組みを有する。
【００１９】
データ信号線１７３は、メモリ１３１ａ，１３１ｂとデータバス１７０との間に接続され、データ２０１を入出力する。デバイスマスク情報信号線１８３は、デバイスマスク情報メモリ１３２ａ，１３２ｂとデータバス１７０との間に接続され、４ビットのデバイスマスク情報２０２を入出力する。
【００２０】
第４のデバイス１０４は、例えばＳＤホストコントローラであり、データ２０１を記憶するためのメモリ（記憶部）１４１ａ及びそのデータ２０１に対応するデバイスマスク情報２０２を記憶するためのデバイスマスク情報メモリ（記憶部）１４２ａの組み、並びにデータ２０１を記憶するためのメモリ（記憶部）１４１ｂ及びそのデータ２０１に対応するデバイスマスク情報２０２を記憶するためのデバイスマスク情報メモリ（記憶部）１４２ｂの組みを有する。
【００２１】
データ信号線１７４は、メモリ１４１ａ，１４１ｂとデータバス１７０との間に接続され、データ２０１を入出力する。デバイスマスク情報信号線１８４は、デバイスマスク情報メモリ１４２ａ，１４２ｂとデータバス１７０との間に接続され、４ビットのデバイスマスク情報２０２を入出力する。
【００２２】
情報処理装置１００では、第１のデバイス１０１乃至第４のデバイス１０４は、データバス１７０を介して相互に接続される。
【００２３】
外部記憶媒体１９０は、例えばメモリカード（ＳＤカード）であり、データ２０１を記憶するためのメモリ（記憶部）１９１ａ及びそのデータ２０１に対応するデバイスマスク情報２０２を記憶するためのデバイスマスク情報メモリ（記憶部）１９２ａの組みを有し、情報処理装置１００の外部に設けられる。
【００２４】
図１では、第１のデバイス１０１乃至第４のデバイス１０４は、２組のデータ２０１及びデバイスマスク情報２０２を記憶するためのメモリ（汎用レジスタ）及びデバイスマスク情報メモリ（レジスタ）を示すが、実際には３組み以上のデータ２０１及びデバイスマスク情報２０２を記憶するためのメモリ（汎用レジスタ）及びデバイスマスク情報メモリ（レジスタ）を有する。同様に、外部記憶媒体１９０も、２組み以上のデータ２０１及びデバイスマスク情報２０２を記憶するためのメモリ及びデバイスマスク情報メモリを有する。
【００２５】
直接外部とデータを入出力可能なデバイスは、第４のデバイス１０４のみである。したがって、第４のデバイス１０４への書き込みを禁止することが有効である。データバス１７０には、データ信号線１７１乃至１７４に加え、デバイス１０１乃至１０４毎にデータ２０１の書き込み動作をマスク制御するデバイスマスク情報信号線１８１乃至１８４をデバイスの数だけ設ける。本実施形態では、デバイス１０１乃至１０４が４個存在するため、それぞれ４ビットのデバイスマスク情報信号線１８１乃至１８４を有する。各デバイス１０１乃至１０４において、必ずメモリ（汎用レジスタ）に対して、デバイスマスク情報２０２を格納するためのデバイスマスク情報メモリ（レジスタ）を付加する。デバイスマスク情報２０２は、書き込みの許可から禁止への変更のみが可能であり、書き込みの禁止から許可への変更を行うことはできない。
【００２６】
例えば、ユーザは、他の情報処理装置において、情報処理装置１００の第１のデバイス１０１乃至第４のデバイス１０４の性質を考慮した上で、図２のデバイスマスク情報２０２を生成する。例えば、保護すべきコンテンツデータ２０１を情報処理装置１００の外部に意に反して出力されないように、第４のデバイス１０４へのデータ書き込みを禁止し、第１のデバイス１０１乃至第３のデバイス１０３へのデータ書き込みを許可する。その場合、デバイスマスク情報２０２は、「１０００」になる。生成されたデータ２０１及びデバイスマスク情報２０２は、上記の他の情報処理装置により、外部記憶媒体１９０のメモリ１９１ａ及びデバイスマスク情報メモリ１９２ａに記憶される。
【００２７】
生成されたデータ２０１及びデバイスマスク情報２０２を情報処理装置１００内にコピーするため、外部記憶媒体１９０を情報処理装置１００に差し込む。すると、外部記憶媒体１９０は、情報処理装置１００内の第４のデバイス１０４に接続される。第４のデバイス１０４は、外部記憶媒体１９０のメモリ１９１ａ及びデバイスマスク情報メモリ１９２ａ等内のデータ２０１及びデバイスマスク情報２０２を、自己のメモリ１４１ａ，１４１ｂ及びデバイスマスク情報メモリ１４２ａ，１４２ｂ等に書き込む。
【００２８】
第４のデバイス１０４のメモリ１４１ａに記憶されているデータ２０１を第３のデバイス１０３のメモリ１３１ａに書き込む指示がされた場合、第４のデバイス１０４のデバイスマスク情報メモリ１４２ａに記憶されているデバイスマスク情報２０２が第３のデバイス１０３への書き込み許可を示しているときには、第４のデバイス１０４のメモリ１４１ａに記憶されているデータ２０１及びデバイスマスク情報メモリ１４２ａに記憶されているデバイスマスク情報２０２は第３のデバイス１０３のメモリ１３１ａ及びデバイスマスク情報メモリ１３２ａにそれぞれ書き込まれる。同様に、第４のデバイス１０４のデバイスマスク情報メモリ１４２ｂに記憶されているデバイスマスク情報２０２が第３のデバイス１０３への書き込み許可を示しているときには、第４のデバイス１０４のメモリ１４１ｂに記憶されているデータ２０１及びデバイスマスク情報メモリ１４２ｂに記憶されているデバイスマスク情報２０２は第３のデバイス１０３のメモリ１３１ｂ及びデバイスマスク情報メモリ１３２ｂにそれぞれ書き込まれる。このように、３２ビットデータ２０１単位で、デバイスマスク情報２０２が示す書き込みの許可又は禁止情報に従い、書き込みが行われる。データ２０１は、第４のデバイス１０４から、データ信号線１７４、データバス１７０、データ信号線１７３を介して、第３のデバイス１０３に供給される。デバイスマスク情報２０２は、第４のデバイス１０４から、デバイスマスク情報信号線１８４、データバス１７０、デバイスマスク情報信号線１８３を介して、第３のデバイス１０３に供給される。これにより、第３のデバイス１０３のメモリ１３１ａ，１３１ｂ等及びデバイスマスク情報メモリ１３２ａ，１３２ｂ等には、外部記憶媒体１９０に記憶されているデータ２０１及びそのデータ２０１に対応するデバイスマスク情報２０２と同じものが書き込まれる。
【００２９】
図４は、情報処理装置１００の処理例を示す図であり、コンテンツデータ２０１が外部へ流出しない様子を示す。第３のデバイス１０３には、上記の外部記憶媒体１９０と同じデータ２０１及びデバイスマスク情報２０２がメモリ１３１ａ，１３１ｂ等及びデバイスマスク情報メモリ１３２ａ，１３２ｂ等に記憶されている。デバイスマスク情報メモリ１３２ａ，１３２ｂ等に記憶されているデバイスマスク情報２０２は、例えば「１０００」であり、デバイスマスク情報信号線１８３を介してデータバス１７０に供給される。「１０００」のデバイスマスク情報２０２は、第１のデバイス１０１乃至第３のデバイス１０３へのデータ書き込みを許可し、第４のデバイス１０４へのデータ書き込みを禁止することを示す。以下、第１のデバイス１０１が、第３のデバイス１０３からロード４０１を行い、第４のデバイス１０４にストア４０２を行う例を説明する。
【００３０】
第１のデバイス１０１は、第３のデバイス１０３内のデータ２０１のロード４０１を行い、外部記憶媒体１９０へ外部出力しようとする。その際、まず、第１のデバイス１０１は、第３のデバイス１０３からデータ２０１のロード４０１を行う。第１のデバイス１０１のためのデバイスマスク情報２０２の第１ビット目が「０」であるため、第３のデバイス１０３のデータ２０１が第１のデバイス１０１へロードされる。第１のデバイス１０１は、そのロードデータを外部記憶媒体１９０へ外部出力するため第４のデバイス１０４へストアを試みる。データ書き込み動作の命令を受けた第４のデバイス１０４は、第４のデバイス１０４のためのデバイスマスク情報２０２の第４ビット目が「１」であるため、書き込み動作を行わない。同時に、第４のデバイス１０４は、第１のデバイス１０１へエラー応答を返す。このときの第４ビット目が「１」であることを判断する方法としては、図５に示すように、ライトバー信号／ＷＲの書き込み指示のレベルが「０」である場合は、デバイスマスク情報２０２の第４ビット目フラグＦＬＧとライトバー信号／ＷＲとの論理和演算結果を、イネーブルバー端子／ＥＮに出力する方法がある。この場合は、第４のデバイス１０４へのアクセスがあるものの、リード又はライトアクセスを示す信号がアサートされないため、エラーと判断する。これにより、第４のデバイス１０４の内部へデータが書き込まれないため、データ２０１が外部記憶媒体１９０へ外部出力されることはない。なお、図５の詳細は、後述する。
【００３１】
次に、上記の第１のデバイス１０１が第３のデバイス１０３からロード４０１を行う場合の詳細を説明する。第３のデバイス１０３のメモリ１３１ａ，１３１ｂ等に記憶されているデータ２０１を第１のデバイス１０１の汎用レジスタ１１１ａ，１１１ｂ等に書き込む指示がされた場合、第３のデバイス１０３のデバイスマスク情報メモリ１３２ａ，１３２ｂ等に記憶されているデバイスマスク情報２０２が第１のデバイス１０１への書き込み許可を示しているときには、第３のデバイス１０３のメモリ１３１ａ，１３１ｂ等に記憶されているデータ２０１及びデバイスマスク情報メモリ１３２ａ，１３２ｂ等に記憶されているデバイスマスク情報２０２は第１のデバイス１０１の汎用レジスタ１１１ａ，１１１ｂ等及びデバイスマスク情報レジスタ１１２ａ，１１２ｂ等に書き込まれる。その結果、デバイスマスク情報レジスタ１１２ａ，１１２ｂ等にも、第３のデバイス１０３と同様に、「１０００」のデバイスマスク情報２０２が書き込まれる。デバイスマスク情報２０２は、第３のデバイス１０３から、デバイスマスク情報信号線１８３、データバス１７０、デバイスマスク情報信号線１８１を介して、第１のデバイス１０１に供給される。すなわち、第１のデバイス１０１の汎用レジスタ１１１ａ，１１１ｂ等及びデバイスマスク情報レジスタ１１２ａ，１１２ｂ等には、外部記憶媒体１９０に記憶されているデータ２０１及びそのデータ２０１に対応するデバイスマスク情報２０２と同じものが書き込まれる。例えば、上記の書き込み動作において、第１のデバイス１０１は、上記の書き込みを指示し、第３のデバイス１０３からデータ２０１及びデバイスマスク情報２０２を読み出し、レジスタ１１１ａ，１１２ａ等にデータ２０１及びデバイスマスク情報２０２を書き込む。
【００３２】
次に、第１のデバイス１０１が第４のデバイス１０４にストア４０２を行う場合の詳細を説明する。第１のデバイス１０１の汎用レジスタ１１１ａ，１１１ｂ等に記憶されているデータ２０１を第４のデバイス１０４のメモリ１４１ａ，１４１ｂ等に書き込む指示がされた場合、第１のデバイス１０１のデバイスマスク情報レジスタ１１２ａ，１１２ｂ等に記憶されているデバイスマスク情報２０２が第４のデバイス１０４への書き込み禁止を示しているときには、第１のデバイス１０１の汎用レジスタ１１１ａ，１１１ｂ等に記憶されているデータ２０１及びデバイスマスク情報レジスタ１１２ａ，１１２ｂ等に記憶されているデバイスマスク情報２０２は第４のデバイス１０４のメモリ１４１ａ，１４１ｂ等及びデバイスマスク情報メモリ１４２ａ，１４２ｂ等に書き込まれない。第４のデバイス１０４への書き込みを禁止することにより、外部記憶媒体１９０へのデータ２０１の出力を禁止することができ、外部への意に反する流出を防止し、コンテンツデータ２０１を保護することができる。
【００３３】
また、第１のデバイス１０１の汎用レジスタ１１１ａ，１１１ｂ等に記憶されているデータ２０１を第２のデバイス１０２のメモリ１２１ａ，１２１ｂ等に書き込む指示がされた場合、第１のデバイス１０１のデバイスマスク情報レジスタ１１２ａ，１１２ｂ等に記憶されているデバイスマスク情報２０２が第２のデバイス１０２への書き込み許可を示しているときには、第１のデバイス１０１の汎用レジスタ１１１ａ，１１１ｂ等に記憶されているデータ２０１及びデバイスマスク情報レジスタ１１２ａ，１１２ｂ等に記憶されているデバイスマスク情報２０２は第２のデバイス１０２のメモリ１２１ａ，１２１ｂ等及びデバイスマスク情報メモリ１２２ａ，１２２ｂ等にそれぞれ書き込まれ、第１のデバイス１０１のデバイスマスク情報レジスタ１１２ａ，１１２ｂ等に記憶されているデバイスマスク情報２０２が第２のデバイス１０２への書き込み禁止を示しているときには、第１のデバイス１０１の汎用レジスタ１１１ａ，１１１ｂ等に記憶されているデータ２０１及びデバイスマスク情報レジスタ１１２ａ，１１２ｂ等に記憶されているデバイスマスク情報２０２は第２のデバイス１０２のメモリ１２１ａ，１２１ｂ等及びデバイスマスク情報メモリ１２２ａ，１２２ｂ等に書き込まれない。
【００３４】
その後、第２のデバイス１０２のメモリ１２１ａ，１２１ｂ等に記憶されているデータ２０１を第３のデバイス１０３のメモリ１３１ａ，１３１ｂ等に書き込む指示がされた場合、第２のデバイス１０２のデバイスマスク情報メモリ１２２ａ，１２２ｂ等に記憶されているデバイスマスク情報２０２が第３のデバイス１０３への書き込み許可を示しているときには、第２のデバイス１０２のメモリ１２１ａ，１２１ｂ等に記憶されているデータ２０１及びデバイスマスク情報メモリ１２２ａ，１２２ｂ等に記憶されているデバイスマスク情報２０２は第３のデバイス１０３のメモリ１３１ａ，１３１ｂ等及びデバイスマスク情報メモリ１３２ａ，１３２ｂ等に書き込まれ、第２のデバイス１０２のデバイスマスク情報メモリ１２２ａ，１２２ｂ等に記憶されているデバイスマスク情報２０２が第３のデバイス１０３への書き込み禁止を示しているときには、第２のデバイス１０２のメモリ１２１ａ，１２１ｂ等に記憶されているデータ２０１及びデバイスマスク情報メモリ１２２ａ，１２２ｂ等に記憶されているデバイスマスク情報２０２は第３のデバイス１０３のメモリ１３１ａ，１３１ｂ等及びデバイスマスク情報メモリ１３２ａ，１３２ｂ等に書き込まれない。
【００３５】
また、図２に示すように、デバイスマスク情報２０２は、単位長（例えば３２ビット）のデータ２０１毎に設けられる。第１のデバイス１０１乃至第４のデバイス１０４のメモリ（汎用レジスタ）及びデバイスマスク情報メモリ（レジスタ）は、単位長のデータ２０１及びその単位長のデータ２０１に対応するデバイスマスク情報２０２の組みを記憶する。例えば、第１のデイバス１０１では、汎用レジスタ１１１ａ及びデバイスマスク情報レジスタ１１２ａは、第１のデータ２０１及び第１のデータ２０１に対応する第１のデバイスマスク情報２０２の組みを記憶し、汎用レジスタ１１１ｂ及びデバイスマスク情報レジスタ１１２ｂは、第２のデータ２０１及び第２のデータ２０１に対応する第２のデバイスマスク情報２０２の組みを記憶する。
【００３６】
第１のデバイス１０１の汎用レジスタ１１１ａに記憶されている第１のデータ２０１を第２のデバイス１０２のメモリ１２１ａに書き込む指示がされた場合、第１のデバイス１０１のデバイスマスク情報レジスタ１１２ａに記憶されている第１のデバイスマスク情報２０２が第２のデバイス１０２への書き込み許可を示しているときには、第１のデバイス１０１の汎用レジスタ１１１ａに記憶されている第１のデータ２０１及びデバイスマスク情報レジスタ１１２ａに記憶されている第１のデバイスマスク情報２０２の組みは第２のデバイス１０２のメモリ１２１ａ及びデバイスマスク情報メモリ１２２ａに書き込まれ、第１のデバイス１０１のデバイスマスク情報レジスタ１１２ａに記憶されている第１のデバイスマスク情報２０２が第２のデバイス１０２への書き込み禁止を示しているときには、第１のデバイス１０１の汎用レジスタ１１１ａに記憶されている第１のデータ２０１及びデバイスマスク情報レジスタ１１２ａに記憶されている第１のデバイスマスク情報は第２のデバイス１０２のメモリ１２１ａ及びデバイスマスク情報メモリ１２２ａに書き込まれない。
【００３７】
第１のデバイス１０１の汎用レジスタ１１１ｂに記憶されている第２のデータ２０１を第２のデバイス１０２のメモリ１２１ｂに書き込む指示がされた場合、第１のデバイス１０１のデバイスマスク情報レジスタ１１２ｂに記憶されている第２のデバイスマスク情報２０２が第２のデバイス１０２への書き込み許可を示しているときには、第１のデバイス１０１の汎用レジスタ１１１ｂに記憶されている第２のデータ２０１及びデバイスマスク情報レジスタ１１２ｂに記憶されている第２のデバイスマスク情報２０２の組みは第２のデバイス１０２のメモリ１２１ｂ及びデバイスマスク情報メモリ１２２ｂに書き込まれ、第１のデバイス１０１のデバイスマスク情報レジスタ１１２ｂに記憶されている第２のデバイスマスク情報２０２が第２のデバイス１０２への書き込み禁止を示しているときには、第１のデバイス１０１の汎用レジスタ１１１ｂに記憶されている第２のデータ２０１及びデバイスマスク情報レジスタ１１２ｂに記憶されている第２のデバイスマスク情報２０２は第２のデバイス１０２のメモリ１２１ｂ及びデバイスマスク情報メモリ１２２ｂに書き込まれない。
【００３８】
図５は、第１のデバイス１０１の汎用レジスタ１１１ａへデータＤＴを書き込む動作を説明するための図である。汎用レジスタ１１１ａは、例えばＤ型フリップフロップ５０２を有する。論理和回路５０１は、ライトバー信号／ＷＲ及びデバイスマスク情報ＦＬＧの論理和信号を出力する。Ｄ型フリップフロップ５０２は、入力端子ＤにはデータＤＴが入力され、イネーブルバー端子／ＥＮには、論理和回路５０１の出力信号が入力され、クロック端子ＣＫにはクロック信号ＣＬＫが入力される。データＤＴは、図２のデータ２０１に対応する。ライトバー信号／ＷＲは、書き込み指示がされるとローレベルになり、その他ではハイレベルになる。デバイスマスク情報ＦＬＧは、図３のデバイスマスク情報２０２内のビットデータ３０１に対応する。ビットデータ３０１は、第１のデバイス１０１へのデータ書き込みの許可を示す場合には「０」になり、データ書き込みの禁止を示す場合には「１」になる。Ｄ型フリッププロップ５０２は、イネーブルバー端子／ＥＮがローレベルになれば、クロック信号ＣＬＫに同期して、データＤＴを記憶する。すなわち、デバイスマスク情報ＦＬＧが許可を示す「０」であれば、Ｄ型フリップフロップ５０２にデータＤＴが記憶され、デバイスマスク情報ＦＬＧが禁止を示す「１」であれば、Ｄ型フリップフロップ５０２にデータＤＴが記憶されない。これにより、デバイスマスク情報２０２に応じたデータ２０１の書き込みの許可又は禁止を制御することができる。上記では、汎用レジスタ１１１ａへのデータ書き込みの例を説明したが、第１のデバイス１０１乃至第４のデバイス１０４内のメモリ（汎用レジスタ）及びデバイスマスク情報メモリ（レジスタ）についても同様にデバイスマスク情報２０２に応じて書き込みを行うことができる。
【００３９】
次に、第３のデバイス１０３がフラッシュメモリである場合を説明する。フラッシュメモリは、その性質上、データの書き換えを行うことができない。そのため、フラッシュメモリにデータを書き込む際には、データ消去を行った後に、データ書き込みを行う必要がある。
【００４０】
以上のように、デバイス１０１乃至１０４にデータ２０１を書き込む際には、データ２０１及びそれに対応するデバイスマスク情報２０２が組みで書き込まれる。これにより、第１のデバイス１０１乃至第４のデバイス１０４の間でのデータ２０１のコピーにつき、デバイス毎に書き込みの許可又は禁止を制御し、データ２０１を保護することができる。
【００４１】
（第２の実施形態）
図６は、本発明の第２の実施形態による第１のデバイス１０１の構成例を示す図である。以下、本実施形態が第１の実施形態と異なる点を説明する。第１のデバイス１０１は、第１のデータ２０１を記憶するための汎用レジスタ１１１ａ、第１のデータ２０１に対応する第１のデバイスマスク情報２０２を記憶するためのデバイスマスク情報レジスタ１１２ａ、第２のデータ２０１を記憶するための汎用レジスタ１１１ｂ、第２のデータ２０１に対応する第２のデバイスマスク情報２０２を記憶するためのデバイスマスク情報レジスタ１１２ｂ、第３のデータ２０１を記憶するための汎用レジスタ１１１ｃ、及び第３のデータ２０１に対応する第３のデバイスマスク情報２０２を記憶するためのデバイスマスク情報レジスタ１１２ｃを有する。
【００４２】
例えば、第１のデバイス（ＣＰＵ）１０１は、汎用レジスタ１１１ａ内の第１のデータ２０１及び汎用レジスタ１１１ｂ内の第２のデータ２０１の論理積演算等を行うことにより第３のデータ２０１を生成し、その第３のデータ２０１を汎用レジスタ１１１ｃに書き込むことができる。その場合には、デバイスマスク情報レジスタ１１２ａ内の第１のデバイスマスク情報２０２及びデバイスマスク情報レジスタ１１２ｂ内の第２のデバイスマスク情報２０２のうち第１乃至第４のデバイス１０１乃至１０４の各々への書き込みの許可よりも禁止を優先させて第３のデータ２０１に対応する第３のデバイスマスク情報２０２を生成し、その第３のデバイスマスク情報２０２をデバイスマスク情報レジスタ１１２ｃに書き込む。具体的には、第１のデバイス１０１は、デバイスマスク情報レジスタ１１２ａ内の第１のデバイスマスク情報２０２及びデバイスマスク情報レジスタ１１２ｂ内の第２のデバイスマスク情報２０２の論理和を第３のデバイスマスク情報２０２としてデバイスマスク情報レジスタ１１２ｃに書き込む。デバイスマスク情報２０２は、「０」が書き込み許可を示し、「１」が書き込み禁止を示す。したがって、第１のデバイスマスク情報２０２が「０」であり、第２のデバイスマスク情報２０２が「１」であるときには、第３のデバイスマスク情報２０２は「１」になり、書き込み禁止の情報が優先される。第１のデバイスマスク情報２０２又は第２のデバイスマスク情報２０２のいずれかが書き込み禁止情報であるときには、その書き込み禁止情報が第３のデバイスマスク情報２０２に引き継がれ、第１のデータ２０１及び第２のデータ２０２の演算結果である第３のデータ２０１が保護される。
【００４３】
以上のように、第１のデバイス１０１は、汎用レジスタ１１１ａ内の第１のデータ２０１及び汎用レジスタ１１１ｂ内の第２のデータ２０１の演算を行うことにより第３のデータ２０１を生成する場合には、デバイスマスク情報レジスタ１１２ａ内の第１のデバイスマスク情報２０２及びデバイスマスク情報レジスタ１１２ｂ内の第２のデバイスマスク情報２０２のうち第１乃至第４のデバイス１０１乃至１０４の各々への書き込みの許可よりも禁止を優先させて第３のデータ２０１に対応する第３のデバイスマスク情報２０２を生成し、第３のデータ２０１及び第３のデバイスマスク情報２０２の組みを汎用レジスタ１１１ｃ及びデバイスマスク情報レジスタ１１２ｃに記憶させる。
【００４４】
（第３の実施形態）
図７は、本発明の第３の実施形態のよる情報処理装置の構成例を示すブロック図である。図７の情報処理装置１００は、図１の情報処理装置１０１に対して、第５のデバイス１０５、第６のデバイス１０６及びディスプレイ１６３が追加されている。以下、本実施形態が第１の実施形態と異なる点を説明する。
【００４５】
第５のデバイス１０５は、例えばＨＤＭＩ（High-Definition Multimedia Interface）送信器であり、データ２０１を記憶するためのメモリ（記憶部）１５１ａ及びそのデータ２０１に対応するデバイスマスク情報２０２を記憶するためのデバイスマスク情報メモリ（記憶部）１５２ａの組み、並びにデータ２０１を記憶するためのメモリ（記憶部）１５１ｂ及びそのデータ２０１に対応するデバイスマスク情報２０２を記憶するためのデバイスマスク情報メモリ（記憶部）１５２ｂの組みを有する。デジタルオーディオ／ビデオプレーヤ１５３は、ＨＤＭＩを介して、第５のデバイス１０５から入力したオーディオデータ及び／又はビデオデータを再生する。
【００４６】
データ信号線１７５は、メモリ１５１ａ，１５１ｂとデータバス１７０との間に接続され、データ２０１を入出力する。デバイスマスク情報信号線１８５は、デバイスマスク情報メモリ１５２ａ，１５２ｂとデータバス１７０との間に接続され、６ビットのデバイスマスク情報２０２を入出力する。
【００４７】
第６のデバイス１０６は、例えばＬＥＤ（発光ダイオード）コントローラであり、データ２０１を記憶するためのメモリ（記憶部）１６１ａ及びそのデータ２０１に対応するデバイスマスク情報２０２を記憶するためのデバイスマスク情報メモリ（記憶部）１６２ａの組み、並びにデータ２０１を記憶するためのメモリ（記憶部）１６１ｂ及びそのデータ２０１に対応するデバイスマスク情報２０２を記憶するためのデバイスマスク情報メモリ（記憶部）１６２ｂの組みを有する。ディスプレイ１６３は、第６のデバイス１０６の制御により表示を行う。
【００４８】
データ信号線１７６は、メモリ１６１ａ，１６１ｂとデータバス１７０との間に接続され、データ２０１を入出力する。デバイスマスク情報信号線１８６は、デバイスマスク情報メモリ１６２ａ，１６２ｂとデータバス１７０との間に接続され、６ビットのデバイスマスク情報２０２を入出力する。
【００４９】
情報処理装置１００では、第１のデバイス１０１乃至第６のデバイス１０６は、データバス１７０を介して相互に接続される。デバイスマスク情報２０２は、第１のデバイス１０１乃至第６のデバイス１０６のデータ書き込みの許可又は禁止を示すため６ビットデータを有する。デバイスマスク情報信号線１８１乃至１８６は、６ビットのデバイスマスク情報２０２を入出力する。
【００５０】
情報処理装置１００は、６個のデバイス１０１乃至１０６を有する。ディスプレイ１６３は情報処理装置１００の内部に設けられ、外部記憶媒体１９０及びデジタルオーディオ／ビデオプレーヤ１５３は情報処理装置１００の外部に設けられる。直接外部とデータを入出力可能なデバイスは、第４のデバイス１０４及び第５のデバイス１０５のみである。第４のデバイス１０４は外部記憶媒体１９０と接続可能であり、第５のデバイス１０５はデジタルオーディオ／ビデオプレーヤ１５３と接続可能である。コンテンツデータ２０１により、データ２０１のコピーや表示制限は様々であり、その決定はコンテンツデータ２０１の作成者による。例えば、外部記憶媒体１９０にのみコンテンツデータ２０１の外部出力を禁止する場合や、情報処理装置１００内でのみ表示可能にするため一切の外部出力を禁止する、つまり外部記憶媒体１９０及びデジタルオーディオ／ビデオプレーヤ１５３への外部出力を禁止とする場合等がある。前者の場合は、デバイスマスク情報２０２を「００１０００」と設定することで実現可能である。後者の場合は、デバイスマスク情報２０２を「０１１０００」と設定することで実現可能である。以上のように、情報処理装置１００は、容易にデバイス毎に書き込みを許可又は禁止することが可能である。
【００５１】
次に、情報処理装置１００内でデバイスマスク情報２０２を変更する例を説明する。第４のデバイス１０４への書き込みを禁止するコンテンツデータ２０１が外部記憶媒体１９０に存在する場合を考える。この場合、デバイスマスク情報２０２は「００１０００」となる。第１の実施形態で示したように第４のデバイス１０４へコンテンツデータ２０１が書き込まれることはない。コンテンツデータ２０１は、第５のデバイス１０５のためのデバイスマスク情報２０２の第５ビット目のデータが「０」であるため、ＨＤＭＩ形式のデータ２０１がデジタルオーディオ／ビデオプレーヤ１５３へ出力可能である。
【００５２】
ここで、ユーザの判断により、コンテンツデータ２０１を一切外部へ出力することを禁止したい場合は以下の方法で対応可能である。まず、第１のデバイス１０１は、第３のデバイス１０３に書き込まれたコンテンツデータ２０１をロードする。ロードしたコンテンツデータ２０１のデバイスマスク情報２０２は、「００１０００」である。次に、第１のデバイス１０１は、第５のデバイス１０５への書き込みを禁止するため、ロードしたデータ２０１を格納した汎用レジスタ１１１ａに付加されたデバイスマスク情報レジスタ１１２ａの第５ビット目に対してセット命令により「１」を書き込む。これにより、コンテンツデータ２０１に対するデバイスマスク情報２０１は「０１１０００」となる。次に、第１のデバイス１０１は、コンテンツデータ２０１及びデバイスマスク情報２０２を第３のデバイス１０３にストアする。この時、データ２０１に付加されるデバイスマスク情報２０２は、更新された「０１１０００」である。以上により、デバイスマスク情報２０２が変更される。
【００５３】
第１のデバイス１０１は、自己のデバイスマスク情報レジスタ１１２ａ，１１２ｂ等に記憶されているデバイスマスク情報２０２について、第１乃至第６のデバイス１０１乃至１０６の各々へのデータ２０１の書き込みの許可から禁止に変更することができ、第１乃至第６のデバイス１０１乃至１０６の各々へのデータ２０１の書き込みの禁止から許可に変更することができない。デバイスマスク情報２０２は書き込みの許可から禁止にする変更のみを認めることにより、データ２０１の外部流出を防止することができ、データ２０１を適切に保護することができる。
【００５４】
以上のように、第１乃至第３の実施形態の情報処理装置１００は、内部のデバイス１０１乃至１０６の数と同じ数だけのデバイスマスク情報信号線１８１乃至１８６を有する。デバイスマスク情報信号線１８１乃至１８６で伝達されるデバイスマスク情報２０２は、情報処理装置１００全体において、メモリ又は汎用レジスタ内のデータ２０１に必ず付加されるものであり、メモリ又は汎用レジスタ内のデータ２０１をリード又はライトする際にデータ２０１と共に処理される。情報処理装置１００で使用されるコンテンツデータ２０１は、予め任意のデータ単位長毎にデバイスマスク情報２０２が付加されている。情報処理装置１００内の各デバイス１０１乃至１０６において、メモリ又は汎用レジスタにデータ２０１をライトする場合に、デバイス１０１乃至１０６に対応しているデバイスマスク情報２０２が書き込み禁止になっている場合は、デバイス１０１乃至１０６への書き込み動作をすることができない。デバイスマスク情報２０２は、書き込み許可から禁止への変更のみ可能であり、書き込み禁止から許可に変更することはできない。
【００５５】
第１乃至第３の実施形態によれば、コピー不可の任意のコンテンツデータ２０１を外部記憶媒体１９０に出力することを禁止することができ、情報処理装置１００内のデータ２０１の秘匿性を高くすることができる効果が得られる。また、情報処理装置１００全体へのコピーガードではなくデバイス毎にコピーガードをかけられる自由度の高い情報処理装置１００になっている。情報処理装置１００は、秘匿性と自由度が高いため、内部にコンテンツデータ２０１を記憶させておくことができ、ユーザにとって利便性を高くすることができる効果が得られる。
【００５６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５７】
１００  情報処理装置
１０１  第１のデバイス
１０２  第２のデバイス
１０３  第３のデバイス
１０４  第４のデバイス
１１１ａ，１１１ｂ  汎用レジスタ
１１２ａ，１１２ｂ  デバイスマスク情報レジスタ
１２１ａ，１２１ｂ  メモリ
１２２ａ，１２２ｂ  デバイスマスク情報メモリ
１７０  データバス
１７１乃至１７４  データ信号線
１８１乃至１８４  デバイスマスク情報信号線
１９０  外部記憶媒体
【図１】
2011186822.tif 000003
【図２】
2011186822.tif 000004
【図３】
2011186822.tif 000005
【図４】
2011186822.tif 000006
【図５】
2011186822.tif 000007
【図６】
2011186822.tif 000008
【図７】
2011186822.tif 000009